(57)【特許請求の範囲】
【請求項１】
有機系廃棄物を種コンポストと混合し、堆積し、定期的に当該堆積物を、撹拌、混合、移送を兼ねた撹拌装置により、撹拌し、当該堆積物の下から給気しながら、好気性微生物により発酵処理する平面発酵式の有機系廃棄物の堆肥化装置であって、前記撹拌装置における回転する攪拌部の回転軸の周囲に熊手状の攪拌羽根を取付棒を介して当該取付棒に対して直角方向に取付けてなることを特徴とする有機系廃棄物の堆肥化装置。
【請求項２】
撹拌部の直径を堆積物の高さの６０％以上とし、且つ、当該攪拌部の回転数を６０ｒｐｍ以上としたことを特徴とする、請求項１に記載の有機系廃棄物の堆肥化装置。
【発明の詳細な説明】
【０００１】
【発明の属する技術分野】
本発明は、汚泥、家庭の厨芥ごみ、野菜くず等の有機系の廃棄物を好気性微生物による分解で堆肥化する堆肥化装置に関する。
【０００２】
【従来の技術】
有機系廃棄物の処理に際し、その焼却処理は、最近では焼却の過程で発生する有害物質の処理の難しさから敬遠され、又、出来る限り環境に負荷を与えないようにということで、リサイクルするようになってきている。そこで、このような状況から、特に、有機系の廃棄物は堆肥化処理が普及して来ている。従来、代表的な平面発酵用堆肥化装置としては、傾斜コンベヤ式とか農業用耕運機の羽根型回転式等のものが使われていたが、前者は、水分が高い場合には混合、撹拌が不充分であり、後者は、同じく水分が高い場合には移送が不充分である等の問題があった。即ち、そこで、従来は、初期含水率を５０〜５５％と低く抑えるとか堆積高さを低くするとか、回転撹拌装置とコンベヤを組み合わせる等の対応を図っていた。しかしながら、次の諸点から改良が望まれていた。
１）発酵槽へ供給された被処理物である有機系廃棄物と種コンポスト（好気性バクテリアなど）の混合物（発酵開始時）は、約６０％の水分と高く、また、発酵の終り時点では約３０〜４０％と低含水率となっている。このように被処理物の水分が変化するため混合撹拌が確実に行い難いこと。
２）発酵槽内の被処理物の堆積高さは通常０．８ｍ以上で１．８ｍにも達する場合がある。この被処理物を撹拌混合し、かつ、移送しながら再堆積を行うことが出来ること。しかも、撹拌装置は簡単で維持管理が容易であること。特に、回転装置だけで上記工程が出来、かつ、維持管理が容易なものが求められていた。
【０００３】
【発明が解決しようとする課題】
従って、本発明の目的は、上記問題点に鑑み、被処理物の含水率が６０％から３０％と大きく変動しても対応出来、かつ、被処理物の堆積高さが０．８ｍから１．８ｍ等まで変化しても被処理物の撹拌、混合、移送の作業が行え、更に前記作業が簡単な撹拌装置だけで対応出来る簡単な堆肥化装置を提供することにある。
【０００４】
【課題を解決するための手段】
前記目的を達成するための本発明は、有機系廃棄物を種コンポストと混合し、堆積し、定期的に当該堆積物を、撹拌、混合、移送を兼ねた撹拌装置により、撹拌し、当該堆積物の下から給気しながら、好気性微生物により発酵処理する平面発酵式の有機系廃棄物の堆肥化装置であって、前記撹拌装置における回転する攪拌部の回転軸の周囲に熊手状の攪拌羽根を取付棒を介して当該取付棒に対して直角方向に取付けてなることを特徴とする有機系廃棄物の堆肥化装置に係るものであり、その好ましい実施態様として、撹拌部の直径を堆積物の高さの６０％以上とし、且つ、当該攪拌部の回転数を６０ｒｐｍ以上としたことを特徴とする。
以下に、本発明による作用及び効果につき説明する。上記のように、撹拌装置における回転する攪拌部の回転軸の周囲に熊手状の攪拌羽根を取付棒を介して当該取付棒に対して直角方向に取付けることによって次の作用及び効果が生ずる。
即ち、熊手状の攪拌羽根とすることにより、個別羽根を回転軸に直接取り付ける場合よりは、羽根部材を細くできる。
熊手状の攪拌羽根とすることにより、個別羽根方式よりは、取り付け、取り外し回数が減り、維持管理が容易となる。
また、熊手状の攪拌羽根を回転軸に取付棒を介して当該取付棒に対して直角方向に取付けることによって、当該熊手状の攪拌羽根の回転により、堆積物（被処理物）を、当該うね状の堆積物（以下、単に、うねということもある。）より掻きとり（この時破砕も行われる。）、当該熊手状状の攪拌羽根の上に乗せ、かつ、当該熊手状の攪拌羽根の遠心力で移動（運搬）しながら、後方へ放物線状に放り上げる操作が効果的に行いやすくなる。この作用は当該羽根と当該羽根の間隔の調整によって、より詳細に述べるならば、当該羽根の幅を当該羽根と当該羽根との幅との比の調整によって容易に可能である。
又、撹拌部の直径を堆積物の高さの６０％以上とし、且つ、当該攪拌部の回転数を６０ｒｐｍ以上とすることにより、撹拌装置の前方の被処理物を掻きとり前記撹拌装置後方へ遠心力で放り上げ、撹拌装置前の被処理物の高さを維持するように堆積することが出来るのである。この掻き取り、移動、放り上げ、堆積の作業によって被処理物の粉砕、混合、移動、撹拌、再堆積を行うことが出来るのであり、かつ被処理物の水分が６０％前後から３０％前後に変化しても良好に被処理物の粉砕、混合、移動、撹拌、再堆積が回転式撹拌装置のみで可能となるのである。
【０００５】
【発明の実施の形態】
以下に、本発明に係る堆肥化装置の実施形態を図面につき説明する。図１に、本発明の堆肥化装置の側面図を示す。又、図２に、本発明の堆肥化装置における攪拌部の説明図を示す。
図１に示すように、堆肥化装置１は、被処理用の堆積物２−１の方向に向かって進み、堆積物２−１は堆肥化装置１の撹拌部３の撹拌羽根４によって切り取られ、後方に移動された後、堆積物２−２に再び堆積される。撹拌部３が前記の切り取り（破砕）、移動（輸送）、再堆積（混合撹拌）しながらも、堆肥化装置１は駆動用の車輪の前進（駆動装置は省く）を続け、前方２−１の方へ順次被処理物の前記撹拌を続けていくのである。このようにして、１回の撹拌（１往復）で撹拌部の回転直径ｌだけ被処理物は後方へ移動されるため、被処理物の発酵槽（うね状の堆積物）の長さをＬとすると、Ｌ／ｌ回の撹拌で、発酵槽の一端に堆積された被処理物は、他端（排出部）まで送られることになる。本発明の実施例は、回転直径ｌが約１．８ｍ、Ｌは１３ｍのため約１週間の滞留となる。排出部にコンベヤを設けておけば、１回の撹拌で被処理物のうねの長さの約１．８ｍ分が発酵槽より取り出せる。他方、供給部には、うねの長さ１．８ｍ分だけ「空」が生ずるのでここに新たに被処理部を供給することが出来るのである。通常、供給部から排出部までの堆肥化装置１の撹拌は１日１回である。そして、供給部から排出部まで進んで来た堆肥化装置は排出部から、供給部へ戻ることになる。この戻りの操作は巻き上げチェーン（省略）を駆動装置（省賂）で巻き上げることにより、撹拌部３を高さ１３だけ、軸１９を中心に約２ｍ上げ、その状態でレール９上を車輪１０により堆肥化装置を供給部まで回送することにより行われる。本発明の熊手状２０の撹拌羽根４は回転軸６の周囲に取付棒５を介して当該取付棒５に対して直角方向に取付けること、及び撹拌部３の回転数を６０ｒｐｍ以上にすること、及び撹拌部直径を被処理物のうねの高さｈの６０％以上とすることによって被処理物の水分が６０％前後の高含水率のものから、堆肥化の終了に近い（３０％）のものまで良好なる混合、撹拌、移送、破砕が行なわれる結果となった。尚、図２（ｂ）において、符号１７は、撹拌羽根４を取付棒５を介して回転軸６に取り付ける為の取付穴である。
【図面の簡単な説明】
【図１】本発明に係る堆肥化装置の側面図
【図２】本発明に係る堆肥化装置の撹拌部の説明図で、
（ａ）回転軸への撹拌羽根の取付状況の説明図
（ｂ）撹拌羽根側面図
（ｃ）図２（ｂ）のイ−イ線断面に沿う撹拌羽根の平面図
【符号の説明】
１．本発明の堆肥化装置
２−１ 堆肥化装置の撹拌対象の被処理物
２−２ 撹拌後の被処理物
３．撹拌部
４．撹拌羽根
５．撹拌羽根取付棒
６．回転軸
１９．（巻き上げ）軸
２０．熊手状
【図１】
0003548851.tif 000002
【図２】
0003548851.tif 000003